(57)【要約】    【課題】  画像データの保管管理の煩わしさを解消するとともに、検索を的確に行うことを可能にする。    【解決手段】  ＣＰＵ１が、撮像装置６から画像データを取得する。また、画像データが表す画像が撮像装置６によって撮影されたときに撮像装置６が位置していた地点を表す位置情報をＧＰＳ７から取得する。ＣＰＵ１は、この取得された位置情報に基づき、該位置情報に対応する地名情報を取得し、前記取得された画像データに、この取得された地名情報を関連付ける。そして、この地名情報を関連付けられた画像データを、大容量記憶装置４に設けられた各種の地名情報で分けられた複数のフォルダの中の、関連付けられた地名情報に合致するフォルダに格納する。【選択図】      図１
2006313991.tif 000002
【特許請求の範囲】
【請求項１】
画像データを取得する画像データ取得手段と、
前記画像データの撮影位置を表す位置情報を取得する位置情報取得手段と、
前記位置情報取得手段によって取得された位置情報に基づき、該位置情報に対応する地名情報を取得する地名情報取得手段と、
前記画像データ取得手段によって取得された画像データに、前記地名情報取得手段によって取得された地名情報を関連付ける関連付け手段と
を有することを特徴とする画像データ保管管理装置。
【請求項２】
複数の位置情報と各位置情報に対応する地名情報との対応関係を記憶した第１の対応関係記憶手段を更に有し、
前記地名情報取得手段は、前記第１の対応関係記憶手段を参照して、前記位置情報取得手段によって取得された位置情報に対応する地名情報を取得することを特徴とする請求項１記載の画像データ保管管理装置。
【請求項３】
新たな位置情報と該位置情報に対応する地名情報とを前記第１の対応関係記憶手段に追加記憶する追加記憶手段を更に有することを特徴とする請求項２記載の画像データ保管管理装置。
【請求項４】
前記第１の対応関係記憶手段に記憶された情報を更新する更新手段を更に有することを特徴とする請求項２記載の画像データ保管管理装置。
【請求項５】
前記位置情報取得手段によって取得される位置情報は、地球上の緯度および経度に関わる情報であることを特徴とする請求項１記載の画像データ保管管理装置。
【請求項６】
前記地名情報取得手段によって取得される地名情報は、前記位置情報が表す地域に関わる組織体の名称を含むことを特徴とする請求項１記載の画像データ保管管理装置。
【請求項７】
前記第１の対応関係記憶手段に記憶された地名情報に対応する複数のフォルダを作成するフォルダ作成手段と、
前記関連付け手段によって地名情報を関連付けられた画像データを、前記フォルダ作成手段によって作成された複数のフォルダのうち、前記関連付けられた地名情報に対応するフォルダに格納する格納手段と
を更に有することを特徴とする請求項２記載の画像データ保管管理装置。
【請求項８】
画像データを取得する画像データ取得手段と、
前記画像データを撮影した個人を特定するための個人認証情報を取得する個人認証情報取得手段と、
前記個人認証情報手段によって取得された個人認証情報に基づき、該個人認証情報に対応する個人情報を取得する個人情報取得手段と、
前記画像データ取得手段によって取得された画像データに、前記個人情報取得手段によって取得された個人情報を関連付ける関連付け手段と
を有することを特徴とする画像データ保管管理装置。
【請求項９】
複数の個人認証情報と各個人認証情報に対応する個人名との対応関係を記憶した第２の対応関係記憶手段を更に有し、
前記個人情報取得手段は、前記第２の対応関係記憶手段を参照して、前記個人認証情報手段によって取得された個人認証情報に対応する個人名を取得することを特徴とする請求項８記載の画像データ保管管理装置。
【請求項１０】
新たな個人認証情報と該個人認証情報に対応する個人名とを前記第２の対応関係記憶手段に追加記憶する追加記憶手段を更に有することを特徴とする請求項９記載の画像データ保管管理装置。
【請求項１１】
前記個人認証情報取得手段によって取得される個人認証情報は、個人の生体認証情報であることを特徴とする請求項８記載の画像データ保管管理装置。
【請求項１２】
前記個人名取得手段によって取得される個人名は、前記個人認証情報で特定されない未登録者を表す名称または前記個人認証情報で特定された個人によって撮影を依頼された被依頼人を表す名称
を含むことを特徴とする請求項８記載の画像データ保管管理装置。
【請求項１３】
個人情報に対応する複数のフォルダを作成するフォルダ作成手段と、
前記関連付け手段によって個人情報を関連付けられた画像データを、前記フォルダ作成手段によって作成された複数のフォルダのうち、前記関連付けられた個人情報に対応するフォルダに格納する格納手段と
を更に有することを特徴とする請求項８記載の画像データ保管管理装置。
【請求項１４】
前記画像データが撮影された位置を表す位置情報を取得する位置情報取得手段を更に有し、
前記関連付け手段は、前記画像データに前記位置情報取得手段により取得した位置情報も関連付けることを特徴とする請求項８記載の画像データ保管管理装置。
【請求項１５】
位置情報及び個人情報に対応する複数のフォルダを作成するフォルダ作成手段と、
前記関連付け手段によって位置情報と個人情報とを関連付けられた画像データを、前記フォルダ作成手段によって作成された複数のフォルダのうち、前記関連付けられた位置情報と個人情報とに対応するフォルダに格納する格納手段と
を更に有することを特徴とする請求項１４記載の画像データ保管管理装置。
【請求項１６】
画像データを取得する画像データ取得ステップと、
前記画像データの撮影位置を表す位置情報を取得する位置情報取得ステップと、
前記位置情報取得ステップにおいて取得された位置情報に基づき、該位置情報に対応する地名情報を取得する地名情報取得ステップと、
前記画像データ取得ステップにおいて取得された画像データに、前記地名情報取得ステップにおいて取得された地名情報を関連付ける関連付けステップと
を有することを特徴とする画像データ保管管理方法。
【請求項１７】
画像データを取得する画像データ取得ステップと、
前記画像データを撮影した個人を特定するための個人認証情報を取得する個人認証情報取得ステップと、
前記個人認証情報ステップにおいて取得された個人認証情報に基づき、該個人認証情報に対応する個人情報を取得する個人名取得ステップと、
前記画像データ取得ステップにおいて取得された画像データに、前記個人情報取得ステップにおいて取得された個人情報を関連付ける関連付けステップと
を有することを特徴とする画像データ保管管理方法。
【請求項１８】
画像データを取得する画像データ取得ステップと、
前記画像データの撮影位置を表す位置情報を取得する位置情報取得ステップと、
前記位置情報取得ステップにおいて取得された位置情報に基づき、該位置情報に対応する地名情報を取得する地名情報取得ステップと、
前記画像データ取得ステップにおいて取得された画像データに、前記地名情報取得ステップにおいて取得された地名情報を関連付ける関連付けステップと
を有することを特徴とする、コンピュータに実行させるためのプログラム。
【請求項１９】
画像データを取得する画像データ取得ステップと、
前記画像データを撮影した個人を特定するための個人認証情報を取得する個人認証情報取得ステップと、
前記個人認証情報ステップにおいて取得された個人認証情報に基づき、該個人認証情報に対応する個人情報を取得する個人情報取得ステップと、
前記画像データ取得ステップにおいて取得された画像データに、前記個人情報取得ステップにおいて取得された個人情報を関連付ける関連付けステップと
を有することを特徴とする、コンピュータに実行させるためのプログラム。
【発明の詳細な説明】
【技術分野】
【０００１】
本発明は、画像データ保管管理装置、画像データ保管管理方法、及びプログラムに関し、特に、撮影されて得られた画像データを適切に保管し管理する画像データ保管管理装置、該画像データ保管管理装置に適用される画像データ保管管理方法、及び該画像データ保管管理方法をコンピュータに実行させるためのプログラムに関する。
【背景技術】
【０００２】
従来、デジタルカメラのような撮像装置において、画像データに対して、撮影が行われた日付を示す日付データや連番等が自動的に付与され、これによって画像データの新旧を見分けることが可能であった。
【０００３】
また、こうした画像データを受け取ったパーソナルコンピュータなどの画像データ保管管理装置においては、ユーザが画像データを整理する際に、画像データに付与された日付データやユーザの記憶に基づいて、画像データに名称を付けたり、画像データを収容すべきフォルダの作成、整理を行っていた。
【特許文献１】特開平０９−０９１４０８号公報
【発明の開示】
【発明が解決しようとする課題】
【０００４】
しかしながら、上記従来の画像データ保管管理装置を用いて、ユーザが画像データを整理する際、整理に時間や手間がかかり、また、各画像データがどこで撮影されたものか、だれによって撮影されたものか等が分からなくなってしまうことが多くあった。
【０００５】
また、上記従来の画像データ保管管理装置において、フォルダ等に収容された多量の画像データの中から、所望の画像データを短時間に的確に探し出すことは大変に難しいことであった。
【０００６】
更に、上記従来の画像データ保管管理装置において、未整理の多量の画像データが溜まってしまった場合、ユーザがそれを整理するために、多大な労力を必要とするという問題があった。
【０００７】
本発明はこのような問題点に鑑みてなされたものであって、画像データの保管管理の煩わしさを解消するとともに、検索を的確に行うことを可能にした画像データ保管管理装置、画像データ保管管理方法、及びプログラムを提供することを目的とする。
【課題を解決するための手段】
【０００８】
上記目的を達成するために、請求項１記載の発明によれば、画像データを取得する画像データ取得手段と、前記画像データの撮影位置を表す位置情報を取得する位置情報取得手段と、前記位置情報取得手段によって取得された位置情報に基づき、該位置情報に対応する地名情報を取得する地名情報取得手段と、前記画像データ取得手段によって取得された画像データに、前記地名情報取得手段によって取得された地名情報を関連付ける関連付け手段とを有することを特徴とする画像データ保管管理装置が提供される。
【０００９】
また、請求項８記載の発明によれば、画像データを取得する画像データ取得手段と、前記画像データを撮影した個人を特定するための個人認証情報を取得する個人認証情報取得手段と、前記個人認証情報手段によって取得された個人認証情報に基づき、該個人認証情報に対応する個人情報を取得する個人情報取得手段と、前記画像データ取得手段によって取得された画像データに、前記個人情報取得手段によって取得された個人情報を関連付ける関連付け手段とを有することを特徴とする画像データ保管管理装置が提供される。
【００１０】
また、請求項１６記載の発明によれば、画像データを取得する画像データ取得ステップと、前記画像データの撮影位置を表す位置情報を取得する位置情報取得ステップと、前記位置情報取得ステップにおいて取得された位置情報に基づき、該位置情報に対応する地名情報を取得する地名情報取得ステップと、前記画像データ取得ステップにおいて取得された画像データに、前記地名情報取得ステップにおいて取得された地名情報を関連付ける関連付けステップとを有することを特徴とする画像データ保管管理方法が提供される。
【００１１】
また、請求項１７記載の発明によれば、画像データを取得する画像データ取得ステップと、前記画像データを撮影した個人を特定するための個人認証情報を取得する個人認証情報取得ステップと、前記個人認証情報ステップにおいて取得された個人認証情報に基づき、該個人認証情報に対応する個人情報を取得する個人名取得ステップと、前記画像データ取得ステップにおいて取得された画像データに、前記個人情報取得ステップにおいて取得された個人情報を関連付ける関連付けステップとを有することを特徴とする画像データ保管管理方法が提供される。
【００１２】
さらに、上記画像データ保管管理方法をコンピュータに実行させるためのプログラムが提供される。
【発明の効果】
【００１３】
本発明によれば、画像データの保管管理の煩わしさが解消されるとともに、検索を的確に行うことが可能となる。
【００１４】
すなわち、画像データが、どこの場所で撮影されたものであるか、誰が撮影したものかが明確にできるとともに、撮影場所、撮影者に基づいて管理することができる。
【００１５】
また、例えば、未登録の人が撮影した場合においては、個人名を「未登録者」とすることで、未登録者によって撮影された画像データであっても管理し易くすることができる。
【００１６】
また、個人名を「登録者からの被依頼人」とすることで、登録者からの依頼で撮影された画像データであっても管理できる。
【発明を実施するための最良の形態】
【００１７】
以下、本発明を実施するための最良の形態について、図面を参照して説明する。
【００１８】
図１は、本発明の一実施の形態に係る画像データ保管管理装置の構成を示すブロック図である。この画像データ保管管理装置は、例えばパーソナルコンピュータによって構成される。
【００１９】
本画像データ保管管理装置は、ＣＰＵ１、ＲＯＭ２、ＲＡＭ３、大容量記憶装置４、入力インターフェイス（Ｉ／Ｆ）５、画像表示装置９、入力装置１０、共通バス１１等から構成される。ＲＯＭ２には、各種制御プログラムが格納され、これらの各種制御プログラムをＣＰＵ１が読み出して実行することにより、後述の各種の処理が行われる。
【００２０】
入力インターフェイス５には、位置測定システムＧＰＳ（Global Positioning System）７および個人認証装置８を備えた撮像装置６が接続される。位置測定システムＧＰＳ７は、測地衛星の発信する電波に基づき地上位置（経度／緯度）を知る装置であり、撮像装置６において撮影が行われるたびに、その撮影が行われた位置を検出して位置情報（経度／緯度）を撮像装置６に送る。また個人認証装置８は、撮影者個人の指紋、虹彩、静脈パターン、音声などのいずれかの生体認証情報からなる個人認証情報を取得し、撮像装置６に送る。撮像装置６では、各コマの画像データごとに位置情報および個人認証情報を記憶する。撮像装置６は、画像データ保管管理装置から画像データの送信要求があったとき、画像データに位置情報および個人認証情報を付加して画像データ保管管理装置に送信する。
【００２１】
なお、個人認証装置８は、生体認証情報の他、署名や暗証番号などの個人を特定できるものを個人認証情報として取得するようにしてもよい。
【００２２】
なおまた、上記の画像データ保管管理装置をパーソナルコンピュータなどによって構成するようにしているが、これに代わって、画像データ保管管理装置を撮像装置６内に備える構成にしてもよい。
【００２３】
図２は、ＲＯＭ２に格納された各種制御プログラムをＣＰＵ１が実行することによって実現される各種の機能を示すブロック図である。
【００２４】
画像データ取得部２１は、撮像装置６から画像データを取得する。
【００２５】
位置情報取得部２２は、画像データ取得部２１によって取得された画像データに付加されている位置情報を取得し、地名情報取得部２３が、地名データ保持管理部２４を参照して、位置情報取得部２２によって取得された位置情報（経度／緯度）に対応する地名情報を取得する。地名データ保持管理部２４は、詳しくは後述するが、経度／緯度と、該経度／緯度に対応する地名との対応テーブルを大容量記憶装置４に保持するとともに、該対応テーブルの更新や、該対応テーブルに独自の位置や地域を追加することができるようになっている。
【００２６】
個人認証情報取得部２７は、画像データ取得部２１によって取得された画像データに付加されている個人認証情報を取得し、個人認証部２６が、認証データ保持管理部２５を参照して、個人認証情報取得部２７によって取得された個人認証情報に対応する個人名を取得する。認証データ保持管理部２５は、詳しくは後述するが、個人認証情報と、該個人認証情報に対応する個人名との対応テーブルを大容量記憶装置４に保持するとともに、該対応テーブルへ新たなデータの追加を行うことができるようになっている。
【００２７】
関連付け部２８は、画像データ取得部２１で取得された画像データに対して、地名情報取得部２３で取得された地名情報を関連付ける。または、画像データ取得部２１で取得された画像データに対して、個人認証部２６で取得された個人名を関連付ける。または、画像データ取得部２１で取得された画像データに対して、地名情報取得部２３で取得された地名情報と、個人認証部２６で取得された個人名とを関連付ける。
【００２８】
なお、上記では説明を省略したが、撮像装置６で得られる画像データには、撮影が行われた年月日を表わす日付情報が元々付加されており、ここで関連付け部２８が特に関連付けを行うことはない。
【００２９】
フォルダ生成部３０は、詳しくは後述するが、地名データ保持管理部２４で管理される地名、または認証データ保持管理部２５で管理される個人名、または年月日を付与された複数のフォルダを大容量記憶装置４に生成し、該複数のフォルダを、ユーザの指示に基づき、個人名、地名、年月日などに基づいて階層（ツリー）状に構成する。
【００３０】
フォルダ格納部２９は、関連付け部２８で地名情報、個人名が関連付けられた画像データを、フォルダ生成部３０で作成された複数のフォルダの中で、該画像データに関連付けられた地名情報、個人名、年月日に合致するフォルダに格納する。
【００３１】
図３は、ＣＰＵ１によって実行される地名情報関連付け処理の手順を示すフローチャートである。この地名情報関連付け処理は、図２に示す画像データ取得部２１、位置情報取得部２２、地名情報取得部２３、関連付け部２８、フォルダ格納部２９に対応する。
【００３２】
まず、撮像装置６から画像データを取得する（Ｓ２１）。
【００３３】
ステップＳ２１で取得された画像データに付加されている位置情報を取得する（Ｓ２２）。
【００３４】
大容量記憶装置４に保持された経度／緯度と地名との対応テーブルを参照して、ステップＳ２２で取得された位置情報（経度／緯度）に対応する地名情報を取得する（Ｓ２３）。
【００３５】
図４は、大容量記憶装置４に保持された経度／緯度と地名との対応テーブルの一例を示す図である。ここでは、ＧＰＳデータが所定の形式で経度／緯度を示している。この対応テーブルには、後述するように独自のデータを作って登録するようにしてもよい。
【００３６】
図５は、大容量記憶装置４に保持された経度／緯度と地名との対応テーブルの他の例を示す図である。この例では、経度／緯度を２次元座標にした地図が用いられ、指定された経度／緯度で表わされる地図上の点が属する地名を検出するようにする。
【００３７】
図４及び図５に例示する対応テーブルは、大容量記憶装置４に保持されるものであるが、これに代わって、位置情報を取得するたびに、例えばインターネットのＷＥＢサイトに存在する同様な対応テーブルを参照して、地名情報を入手するようにしてもよい。
【００３８】
図３に戻って、ステップＳ２１で取得された画像データに、ステップＳ２３で取得された地名情報を関連付け（Ｓ２４）、この地名情報が関連付けられた画像データを大容量記憶装置４に格納する（Ｓ２５）。ただし、この格納に際して、フォルダ生成部３０で作成された複数のフォルダの中で、該画像データに関連付けられた地名情報に合致するフォルダに格納する。
【００３９】
図６は、ＣＰＵ１によって実行される独自エリア登録及び対応テーブル更新処理の手順を示すフローチャートである。この独自エリア登録及び対応テーブル更新処理は、図２に示す地名データ保持管理部２４に対応するものであり、大容量記憶装置４に保持された経度／緯度と地名との対応テーブルに新たに独自エリアを登録したり、また該対応テーブルのデータの更新を行なったりする処理である。
【００４０】
まず、大容量記憶装置４に保持された経度／緯度と地名との対応テーブルを更新するか否かの判別を行う（Ｓ３１）。具体的には、該対応テーブルに新たなデータを登録するか、または該対応テーブルのデータを更新するか否かを判別する。その判別の結果、該対応テーブルに新たなデータを登録するか、または該対応テーブルのデータを更新する場合にはステップＳ３２へ進み、該対応テーブルに新たなデータを登録せず、かつ該対応テーブルのデータを更新しない場合には。本独自エリア登録及び対応テーブル更新処理を終了する。
【００４１】
ステップＳ３２では、独自エリアを登録するか否かを判別する（Ｓ３２）。すなわち、大容量記憶装置４に保持された経度／緯度と地名との対応テーブルに、ユーザが指定する独自エリアを新たに登録するか否かを判別する。その結果、独自エリアを登録する場合は、ステップＳ３３に進み、独自エリアを登録しない場合は、ステップＳ３６に進む。
【００４２】
ステップＳ３３では、ユーザによって独自エリアの指定が行われる。これを、図７を参照して説明する。
【００４３】
図７は、独自エリアを第１の指定方法で指定した場合を示す地図である。
【００４４】
ある特別な地域（図７に示す例では、ある会社の矩形の敷地とする）を独自エリアとして指定するには、この特別な地域を区画する４地点（○印４１〜４４）のＧＰＳデータを取得し、これらのＧＰＳデータが表す４地点によって区画される範囲を独自エリアとする。ＧＰＳデータの取得は、撮像装置６を上記の４地点に移動してＧＰＳ７からＧＰＳデータを取得するようにしてもよいし、一般の地図に記載された経度／緯度に基づき取得するようにしてもよい。
【００４５】
図６に戻って、ステップＳ３３で指定された独自エリアにエリア名を付与する（Ｓ３４）。独自エリアが、例えば会社の敷地である場合、この会社の名称をエリア名とする。
【００４６】
次に、独自エリアを区画するＧＰＳデータとエリア名とを対応付けて、大容量記憶装置４に保持された経度／緯度と地名との対応テーブルに追加格納する（Ｓ３５）。
【００４７】
なお、図７に示す独自エリア例では、エリア指定を４地点で行っているが、独自エリアが矩形ではない場合、この第１の指定方法で独自エリアを指定することはできない。
【００４８】
図８は、独自エリアを第２〜第４の指定方法で指定した場合を示す地図である。
【００４９】
図８（Ａ）に示すように、独自エリアが楕円形のサッカー競技場や野球場等である場合は、エリア指定を楕円に沿って多数の地点で行うようにする。
【００５０】
また、図８（Ｂ）に示すように、独自エリアが複雑な形状の家の敷地である場合は、エリア指定を、敷地の角となる各地点で行うようにする。
【００５１】
さらに、図８（Ｃ）に示すように、独自エリアが、池のある公園等である場合は、エリア指定を、公園全体ではなく、ユーザが移動する範囲だけに限り、その場合には、３地点で行うことも可能である。
【００５２】
図７及び図８に示したように、エリア指定をする際には、独自エリアの形やユーザの移動範囲に適した指定方法で指定することが可能であり、より的確なエリア指定を行うことが可能である。
【００５３】
図６に戻って、大容量記憶装置４に保持された経度／緯度と地名との対応テーブルの最新データを取得する（Ｓ３６）。すなわち、該対応テーブルが外部から入手したものである場合に、この入手先にアクセスして最新データを入手する。
【００５４】
ステップＳ３６で入手した最新データを該対応テーブルに上書き保存して、該対応テーブルの更新を行う（Ｓ３７）。
【００５５】
以上のように、大容量記憶装置４に保持された経度／緯度と地名との対応テーブルに新たに独自エリアを登録したり、また該対応テーブルのデータの更新を行なったりすることにより、画像データと地名情報との関連付けが、より一層的確なものとなる。
【００５６】
図９は、ＣＰＵ１によって実行される個人名関連付け処理の手順を示すフローチャートである。この個人名関連付け処理は、図２に示す認証データ保持管理部２５、個人認証部２６、個人認証情報取得部２７、関連付け部２８、フォルダ格納部２９に対応する。
【００５７】
まず、撮像装置６から画像データを取得する（Ｓ４１）。
【００５８】
ステップＳ４１で取得された画像データに付加されている個人認証情報を取得する（Ｓ４２）。
【００５９】
大容量記憶装置４に保持された個人認証情報と個人名との対応テーブルを参照して、ステップＳ４１で取得された個人認証情報に対応する個人名を取得する（Ｓ４３）。
【００６０】
ステップＳ４３での取得処理の結果、個人名を取得できたか否かを判別する（Ｓ４４）。すなわち、個人認証情報と個人名との対応テーブルに、ステップＳ４１で取得された個人認証情報に対応する個人データ（個人認証情報と個人名）が登録されていたか否かを判別する。個人名を取得できたならば、ステップＳ４１で取得した画像データは、登録済みの個人が撮影した結果得られた画像データであると認証され、ステップＳ４８へ進み、一方、個人名を取得できなければ、ステップＳ４１で取得した画像データは、未登録の個人が撮影した結果得られた画像データであると判断され、ステップＳ４５へ進む。
【００６１】
ステップＳ４８では、ステップＳ４１で取得した画像データに、ステップＳ４３で取得した個人名を関連付ける。そしてステップＳ４９で、この個人名が関連付けられた画像データを大容量記憶装置４に格納し（Ｓ４９）、本個人名関連付け処理を終了する。ただし、ステップＳ４９の格納処理では、フォルダ生成部３０で作成された複数のフォルダの中で、該画像データに関連付けられた個人名に合致するフォルダに格納する。
【００６２】
ステップＳ４５では、個人認証情報と個人名との対応テーブルに、ステップＳ４１で取得された個人認証情報に対応する個人データ（個人認証情報と個人名）を登録するか否かを判別する。登録するならばステップＳ４６へ進み、登録しないならばステップＳ４７へ進む。
【００６３】
ステップＳ４６では、個人認証情報と個人名との対応テーブルに、ステップＳ４１で取得された個人認証情報に対応する個人データ（個人認証情報と個人名）を登録する。この場合、次のステップＳ４８では、ステップＳ４１で取得した画像データに、ステップＳ４６で登録された個人データに係る個人名を関連付ける。
【００６４】
ステップＳ４７では、ステップＳ４１で取得された個人認証情報に係る個人を未登録者として扱う未登録者対応処理を行う。この場合、次のステップＳ４８では、ステップＳ４１で取得した画像データに、「未登録者」を関連付ける。
【００６５】
以上のように、個人認証情報から個人名を得て、画像データに個人名を関連付けることにより、画像データに該画像データの撮影者の名前を付加することが可能となる。
【００６６】
なおここでは、ステップＳ４５，Ｓ４６に示すように、撮影後に個人データ（個人認証情報と個人名）の登録を行うようにしているが、これに代わって、ステップＳ４２，Ｓ４３に相当する個人認証処理を撮影前に行い、個人データが登録されていなかった場合は、撮影前に個人データの登録を行うようにしてもよい。
【００６７】
また、上記では、ステップＳ４７の未登録者対応処理として、画像データに「未登録者」を関連付ける例を挙げているが、これに代わって、特定の登録者から依頼された被依頼者が撮影を行った場合に、該特定の登録者がまず個人認証を行い、その上で該特定の登録者からの被依頼者として画像データに関連付けるようにしてもよい。これは、旅行時において、登録者が撮影を依頼する場合等に有効な処理となる。
【００６８】
なおまた、図３に示した地名情報関連付け処理と、図９に示した個人名関連付け処理とを組み合わせて、画像データに地名情報と個人名とを関連づけるようにしてもよい。これらのいずれの処理を行うかは、ユーザの指示による。
【００６９】
次に、フォルダ生成について説明する。この生成処理は、図２に示すフォルダ生成部３０に対応する。
【００７０】
図１０は、画像データを地名情報と関連付けた場合の複数のフォルダの生成例を示す図である。
【００７１】
ここでは、地名情報と関連付けられた画像データを保存する複数のフォルダを、大きな地名から、そこに含まれる小さな地名へと階層（ツリー）状に構成する。フォルダに収容された画像データの数が所定数（例えば１０）を越えたら、このフォルダの下の階層のフォルダを作成する。例えば、東京という地名に関連付けられた画像データの数が所定数を越えたら、例えば、区別でフォルダを作成し、大田区という地名に関連付けられた画像データの数が所定数を越えたら、例えば、町別でフォルダを作成する。
【００７２】
図１１は、画像データを個人名と関連付けた場合の複数のフォルダの生成例を示す図である。
【００７３】
ここでは、個人名と関連付けられた画像データを保存する複数のフォルダを、苗字、名前、日付情報の年、月、日の順で階層状に構成する。
【００７４】
なお、「未登録者」および「(登録者)からの被依頼者」という名前のフォルダを作成し、こうした名前を付加された画像データを収納する。例えば、「三瀬良子」という登録者が旅行先で誰かに依頼して自分の撮像装置で自分の姿を撮影してもらった場合、この画像データは「良子からの被依頼者」というフォルダに収納される。
【００７５】
図１２は、画像データを個人名および地名情報と関連付けた場合の複数のフォルダの生成例を示す図である。
【００７６】
ここでは、複数のフォルダを、個人名、地名情報の順で階層状に構成する。
【００７７】
なお、複数のフォルダを階層状に構成するに当たり、個人名、地名情報、日付情報のうちのどれを優先するかは、ユーザの設定によるものとする。また、この設定は、後から変更することも可能にする。
【００７８】
以上のようにして、自動的に複数のフォルダを生成し、画像データを、該画像データに関連付けられた個人名、地名情報、日付情報に基づいて、対応するフォルダに自動的に収納する。これにより、多くの画像データを簡単に整理することが可能となる。
【００７９】
なお、上記の実施の形態では、画像データを収納すべきフォルダを、個人名、地名情報、日付情報に基づいて整理しているが、これ以外にも、撮像装置に関する情報（例えば、機種、メーカー名、装置識別情報等）、天気情報、温度情報を画像データに関連付け、こうした情報に基づいてフォルダを整理するようにしてもよい。
【００８０】
なおまた、画像データに個人名、地名情報、日付情報等を関連付け、この関連付けられた情報を画像データの名称にするようにしてもよい。この場合に、異なる画像データの名称が同一になる場合、連番をつけて、画像データの上書きを防ぐようにする。
【００８１】
〔他の実施の形態〕
また、本発明の目的は、上記の実施の形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【００８２】
この場合、記憶媒体から読み出されたプログラムコード自体が前述した実施の形態の機能を実現することになり、そのプログラムコード及び該プログラムコードを記憶した記憶媒体は本発明を構成することになる。
【００８３】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードをネットワークを介してダウンロードしてもよい。
【００８４】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００８５】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【００８６】
また、コンピュータが読み出したプログラムコードを実行することにより、前述した各実施の形態の機能が実現されるだけでなく、そのプログラムコードの指示に基づき、コンピュータ上で稼働しているＯＳなどが実際の処理の一部または全部を行い、その処理によって前述した各実施の形態の機能が実現される場合も、本発明に含まれることは言うまでもない。
【００８７】
この場合、上記プログラムは、該プログラムを記憶した記憶媒体から直接、又はインターネット、商用ネットワーク、若しくはローカルエリアネットワーク等に接続された不図示の他のコンピュータやデータベース等からダウンロードすることにより供給される。
【図面の簡単な説明】
【００８８】
【図１】本発明の一実施の形態に係る画像データ保管管理装置の構成を示すブロック図である。
【図２】図１に示すＲＯＭに格納された各種制御プログラムをＣＰＵが実行することによって実現される各種の機能を示すブロック図である。
【図３】図１に示すＣＰＵによって実行される地名情報関連付け処理の手順を示すフローチャートである。
【図４】大容量記憶装置に保持された経度／緯度と地名との対応テーブルの一例を示す図である。
【図５】大容量記憶装置に保持された経度／緯度と地名との対応テーブルの他の例を示す図である。
【図６】ＣＰＵによって実行される独自エリア登録及び対応テーブル更新処理の手順を示すフローチャートである。
【図７】独自エリアを第１の指定方法で指定した場合を示す地図である。
【図８】独自エリアを第２〜第４の指定方法で指定した場合を示す地図である。
【図９】ＣＰＵによって実行される個人名関連付け処理の手順を示すフローチャートである。
【図１０】画像データを地名情報と関連付けた場合の複数のフォルダの生成例を示す図である。
【図１１】画像データを個人名と関連付けた場合の複数のフォルダの生成例を示す図である。
【図１２】画像データを個人名および地名情報と関連付けた場合の複数のフォルダの生成例を示す図である。
【符号の説明】
【００８９】
１  ＣＰＵ
２  ＲＯＭ
３  ＲＡＭ
４  大容量記憶装置（記憶装置）
５  入力インターフェイス（Ｉ／Ｆ）
６  撮像装置
７  位置測定システム（ＧＰＳ）
８  個人認証装置
９  画像表示装置
１０  入力装置
１１  共通バス
２１  画像データ取得部
２２  位置情報取得部
２３  地名情報取得部
２４  地名データ保持管理部
２５  認証データ保持管理部
２６  個人認証部
２７  個人認証情報取得部
２８  関連付け部
２９  フォルダ格納部
３０  フォルダ生成部
【図１】
2006313991.tif 000003
【図２】
2006313991.tif 000004
【図３】
2006313991.tif 000005
【図４】
2006313991.tif 000006
【図５】
2006313991.tif 000007
【図６】
2006313991.tif 000008
【図７】
2006313991.tif 000009
【図８】
2006313991.tif 000010
【図９】
2006313991.tif 000011
【図１０】
2006313991.tif 000012
【図１１】
2006313991.tif 000013
【図１２】
2006313991.tif 000014